(57)【要約】  本発明はペダルの受け部に接続するための自転車用靴クリートを提供し、ペダルは、ペダルの受け部が回転可能に取り付けられる取付シャフトを有し、クリートは、自転車用靴の底面にクリートを取り付けるためのマウントと、ペダルの受け部が受けるための取付部と、ペダルがクリートに取り付けられる場合に取付部と受け部との間に設けられる弾性部材とを含み、弾性部材は受け部に対する取付部の動きに抵抗する。弾性部材を提供することにより、サイクリストのペダリング効率が改善されるだけでなく、必要に応じてペダル内のクリートの可変フロートが可能になる。また、クリートはペダルに対して無制御の動きで移動する可能性が低いため、ペダルのフロートの制御を改善する。【選択図】  図７
2020517317.tif 000002
【特許請求の範囲】
【請求項１】
ペダルの受け部に接続するための自転車用靴クリートであって、前記ペダルが、前記ペダルの前記受け部が回転可能に取り付けられる取付シャフトを有し、前記クリートが、
自転車用靴の底面に前記クリートを取り付けるためのマウントと、
前記ペダルの前記受け部が受けるための取付部と、
前記ペダルが前記クリートに取り付けられた場合に前記取付部と前記受け部との間に設けられ、前記受け部に対する前記取付部の動きに抵抗する弾性部材と
を含む自転車用靴クリート。
【請求項２】
前記弾性部材が、前記取付シャフトを中心とした前記受け部の回転軸線と略平行な方向に延びる運動平面内での前記受け部に対する前記取付部の動きに抵抗する、請求項１に記載の自転車用靴クリート。
【請求項３】
前記弾性部材が、前記クリートに取り付けられるか、または取付け可能である、請求項１または２に記載の自転車用靴クリート。
【請求項４】
前記弾性部材が、前記クリートに取り外し可能に取り付けられるか、または取り外し可能に取付け可能である、請求項３に記載の自転車用靴クリート。
【請求項５】
前記弾性部材が、前記クリートの一部の周囲で受けられる閉じたループ、バンドまたはストラップを有する、請求項１〜４のいずれか一項に記載の自転車用靴クリート。
【請求項６】
前記弾性部材が概ね、断面の大きさおよび／または形状が略一定もしくは可変のＯリングの形態である、請求項５に記載の自転車用靴クリート。
【請求項７】
前記クリートが、前記弾性部材を受けるための座部を含む、請求項３もしくは４に記載の、または請求項３もしくは４を直接的もしくは間接的に引用する場合の請求項５もしくは６に記載の自転車用靴クリート。
【請求項８】
前記座部が、張力がかけられた状態の前記弾性部材を受けるように構成されている、請求項７に記載の自転車用靴クリート。
【請求項９】
前記座部が、前記弾性部材の少なくとも一部を受け入れる、スロット部分または溝部分を含む、請求項７または８に記載の自転車用靴クリート。
【請求項１０】
前記弾性部材が、単一ループもしくは二重ループ構成で前記クリートに取り付けられるか、または取付け可能であるように構成されている、請求項１〜９のいずれか一項に記載の自転車用靴クリート。
【請求項１１】
請求項１〜１０のいずれか一項に記載のクリートの前記弾性部材を交換するための、交換用弾性部材。
【請求項１２】
ペダルの受け部と係合するための自転車用靴クリートであって、前記ペダルが、前記ペダルの前記受け部が回転可能に取り付けられる取付シャフトを有し、前記クリートが、
自転車用靴の底面に前記クリートを取り付けるためのマウントと、
前記ペダルの前記受け部が受けるための取付部と、
前記ペダルが前記クリートに取り付けられた場合に前記取付部と前記受け部との間に設けられ、前記受け部に対する前記取付部の動きに弾性部材が抵抗するように前記弾性部材を受け入れるための弾性部材受入空間と
を含む自転車用靴クリート。
【請求項１３】
請求項１２に記載の自転車用靴クリートとともに使用するための、弾性部材。
【請求項１４】
前記弾性部材が、前記クリートに取り外し可能に取り付けられるか、または取り外し可能に取付け可能である、請求項１３に記載の弾性部材。
【請求項１５】
前記弾性部材が、前記クリートの一部の周囲に受けられる閉じたループ、バンドまたはストラップを有する、請求項１３または１４に記載の弾性部材。
【請求項１６】
前記弾性部材が概ね、Ｏリングの形態である、請求項１５に記載の弾性部材。
【請求項１７】
前記弾性部材が、前記クリートに設けられた座部の形態の弾性部材受入空間の上、内部または周囲で受入可能である、請求項１３〜１６のいずれか一項に記載の弾性部材。
【請求項１８】
前記弾性部材が、張力がかけられた状態で前記座部の上、内部または周囲で受入可能である、請求項１７に記載の弾性部材。
【請求項１９】
前記弾性部材が、前記座部のスロット部分または溝部分に少なくとも部分的に受入可能である、請求項１７または１８に記載の弾性部材。
【請求項２０】
前記弾性部材が、単一ループまたは二重ループ構成で前記クリートに取付け可能であるように構成されている、請求項１３〜１９のいずれか一項に記載の弾性部材。
【請求項２１】
自転車用ペダルであって、
クリートの取付部を受けるための受け部と、
前記ペダルの前記受け部が回転可能に取り付けられる取付シャフトと、
前記ペダルが前記クリートに取り付けられた場合に前記取付部と前記受け部との間に設けられ、前記受け部に対する前記取付部の動きに抵抗する弾性部材と
を含む自転車用ペダル。
【請求項２２】
前記弾性部材が、前記取付シャフトを中心とした前記受け部の回転軸線と略平行な方向に延びる運動平面内での前記受け部に対する前記取付部の動きに抵抗する、請求項２１に記載の自転車用ペダル。
【請求項２３】
前記弾性部材が、前記ペダルに取り付けられるか、または取付け可能である、請求項２１または２２に記載の自転車用ペダル。
【請求項２４】
前記弾性部材が、前記ペダルに取り外し可能に取り付けられるか、または取り外し可能に取付け可能である、請求項２３に記載の自転車用ペダル。
【請求項２５】
自転車用ペダルであって、
クリートの取付部を受けるための受け部と、
前記ペダルの前記受け部が回転可能に取り付けられる取付シャフトと、
前記ペダルが前記クリートに取り付けられた場合に前記取付部と前記受け部との間に設けられ、前記受け部に対する前記取付部の動きに弾性部材が抵抗するように前記弾性部材を受け入れるための弾性部材受入空間と
を含む自転車用ペダル。
【請求項２６】
請求項２５に記載の自転車用ペダルとともに使用するための、弾性部材。
【請求項２７】
前記弾性部材が、前記ペダルに取り外し可能に取り付けられるか、または取り外し可能に取付け可能である、請求項２６に記載の弾性部材。
【発明の詳細な説明】
【技術分野】
【０００１】
本発明はサイクリングに関する。より具体的には、本発明は、自転車用靴に取り付けるための改良された自転車用クリートに関し、この関連において以下に一般的に説明する。本発明は、ロードバイク用に設計されたクリートの文脈において特定の用途を有し、この関連において以下に一般的に説明する。しかし、本発明はまた、通勤用自転車、タイムトライアル用自転車、トライアスロン用自転車およびトラック競技用自転車を含む（ただしこれらに限定されない）他の自転車分野に適用してもよいことを理解されたい。
【０００２】
本発明はまた、自転車用ペダルに関する。
【背景技術】
【０００３】
従来の自転車用のペダルおよびクリートは多種多様な特別設計で提供されており、製造業者は通常、市場において視覚的に区別するようにペダルおよびクリートに独自の外観を採用している。
【０００４】
サイクリストが使用するペダル／クリートの組合せに関係なく、ペダル／クリートの主な機能は、危険なだけでなく、結果としてペダリング動作が低下しかねない、サイクリストの靴がペダルから誤って外れることを防止することである。
【０００５】
通常、ペダル設計は特定のクリート設計とともに使用するように構成される。しかし、場合によっては、特定のペダルを小範囲のクリート設計のうちいずれか１つと組み合わせて使用してもよい。その範囲内の各クリートは、購入者に独自の性能特性をもたらす可能性があり、それによって購入者はニーズに最も適したクリートを選択することができる。
【０００６】
クリート設計は、ペダルとクリートとの間の相対運動を様々な量で提供する。サイクリングによって生じる膝の怪我の可能性を低減するために、いくらかの動きがある程度望まれる場合が多く、この種類のクリートは多くのサイクリストに好まれている。しかし、一部の一流サイクリストおよびプロのサイクリストを含む他のサイクリストは、ペダルとクリートとの間の相対運動がほとんどあるいはまったくないことを好むので、彼らの要求を満たすクリート設計を選択する。
【０００７】
既存のペダルおよびクリートの設計は、一般的にサイクリストが求めるような期待される性能特性を提供する一方で、既存のクリート／ペダルの設計と比較して改善された性能特性および特徴を提供するような新規の潜在的に改善されたクリートおよび／またはペダルを提供することが望ましいであろう。
【発明の概要】
【０００８】
本発明の広範な態様によれば、ペダルの受け部に接続するための自転車用靴クリートが提供され、ペダルは、ペダルの受け部が回転可能に取り付けられる取付シャフトを有する。クリートは、自転車用靴の底面にクリートを取り付けるためのマウントと、ペダルの受け部が受けるための取付部とを含む。クリートはまた、ペダルがクリートに取り付けられる場合に取付部と受け部との間に設けられる弾性部材を含む。弾性部材は、受け部に対する取付部の動きに抵抗する。
【０００９】
好ましくは、クリートはペダルに取り外し可能に接続することができるが、そうである必要はない。
【００１０】
上記では「サイクリング」について述べている。クリートは、自転車、三輪車、タンデム自転車、リカンベント自転車、電動自転車、一輪車、運動用自転車、スピニングバイクもしくはその他の型の固定式自転車など、様々な型の自転車と組み合わせて使用されてもよい。とはいえ、本発明は、自転車での使用、具体的にはロードバイク、トラック競技用自転車、タイムトライアル用自転車、トライアスロン用自転車もしくは通勤用自転車での使用に適した靴に関連して特定の用途があると考えられる。
【００１１】
「靴」への言及は、自転車用靴、自転車用ブーツ（例えば寒い気候条件で着用されるもの）、および自転車用サンダルを含むがこれらに限定されない自転車用クリートと組み合わせて現在使用されている任意の適切な種類の靴を含むものであると理解されるべきである。とはいえ、本発明は、ロードバイク、トラック競技用自転車、トライアスロン用自転車、タイムトライアル用自転車もしくは通勤用自転車用に設計された靴に関連して特定の用途があると考えられる。
【００１２】
弾性部材は、好ましくは運動平面内での受け部に対する取付部の動きに抵抗し、運動平面は、取付シャフトを中心とした受け部の回転軸線に対して略平行な方向に延びる。弾性的であるため、サイクリストがクリートに加えた負荷が比較的低い場合、部材は、ペダルに対するクリートの動きの自由度が低いことが望ましい。しかし、部材の弾性とは、サイクリストがクリートに比較的高い負荷を加えた場合に、クリートとペダルとの間の相対運動が可能であることが望ましいということである。部材の自然な弾性はまた、クリートに加えられた荷重が取り除かれた場合にクリートを中立の（もしくは無負荷の）位置に戻すことが望ましい。弾性部材を提供することは、一般的にペダルのクリートに対するクリートのフロート／動きを防止することを意図していない。むしろ、フロート／動きを調整して、幅広い可能な利点を潜在的に提供することを意図しており、その利点には、
−サイクリストのペダリング技術を改善すること
ペダリング効率を改善すること
−膝およびその他の怪我の可能性を低減すること
−サイクリング時に放出されるエネルギーを潜在的に低減すること
−必要に応じて、クリートとペダルとの間に所望の量のフロート／動きを提供すること
−クリート摩耗率を低減すること
−クリートのペダルとの改善された接触面を提供すること
−より自然なペダリング感覚
−ペダル／クリートの異なるＲＰＭおよび負荷でクリートの動態を変更／改善すること
−さらに、サイクリストがクリートに加えた任意の負荷が取り除かれた場合に、弾性部材の弾力によってクリートをペダルに対して静止位置に動的に戻すこと
が含まれる。
【００１３】
上記では、「１つの」運動平面を参照している。回転軸線に対する運動平面の向きは、所与のサイクリストの自然なペダリング動作の結果として、ペダルストローク中に変化する可能性が高いことを理解されたい。しかし、いかなるときも、ロードサイクリング用のペダルおよびクリートは通常、この種の相対運動もしくは「フロート（浮動）」を提供してサイクリストとその様々なサイクリング方法との間の解剖学的な差異を説明するように特別に設計されているので、運動平面は常に回転軸線と略平行である。また、クリートとペダルとの間にフロートが提供されて、クリートとペダルとの間に相対的なフロートが提供されないペダル／クリートの組合せを有することによって生じる可能性が高い膝の怪我（およびその他の潜在的な怪我）を制限する。したがって、本明細書の文脈における運動平面は、固定の運動平面であると見なされるべきではなく、所与のサイクリストのペダリング動作中の任意の瞬間の観点で考慮されるべきである。
【００１４】
弾性部材がクリートとペダルとの間のフロートに抵抗する程度は、必要に応じて選択してもよい。いくつかの実施形態では、ペダルに対するクリートのフロート中立位置の付近に抵抗が提供されない場合があり、有効なフロートの外側限界において、もしくは外側限界に向かって抵抗が提供される。他の実施形態では、おそらく中立位置を除いて、ペダルに対するクリートの任意のフロート相対位置において抵抗が提供されてもよい。弾性部材によって提供される抵抗は、弾性部材が受ける変形量に応じて（線形または非線形のいずれかで）増加する場合がある。したがって、抵抗量は、有効なフロートの外側限界において、もしくは外側限界に向かって最も高くなる場合がある。
【００１５】
弾性部材は、回転軸線に対して略垂直な方向のペダルの受け部に対するクリートの取付部の動きに抵抗するように特別に設計されていない。クリートおよび／またはペダルの接触面が、ペダルとクリートとの間に回転軸線に垂直な動きの自由度が存在する程度まで摩耗すると、このような動きが見られる場合がある。このような動きが存在する場合、サイクリストがクリートを交換するのに最適な時期であると一般的に見なされ、十分に摩耗している場合は、ペダルを交換することも考慮される可能性がある。しかし必要に応じて、弾性部材は、回転軸線に対して略垂直な方向のペダルとクリートとの間の少なくとも少量の相対運動に抵抗するように設計されてもよい。
【００１６】
前述したように、出願人は、弾性部材を提供することにより、必要に応じてペダル内のクリートの可変フロートを可能にするだけでなく、サイクリストのペダリング効率を潜在的に改善することを見いだした。また、クリートはペダルに対して無制御の動きで移動する可能性が低いため、ペダルのフロートの制御を潜在的に改善する。
【００１７】
好ましくは、弾性部材はクリートに取り外し可能に取り付けられ、これにより、必要に応じて交換するかまたは取り外すことができる。他の例では、弾性部材が恒久的な一体型配置としてクリートに恒久的に取り付けられる（そうでなければクリートと一体化される）ことが望ましい場合がある。
【００１８】
また、本発明のいくつかの実施形態では、弾性部材はクリートではなくペダルに取り付けられてもよく、恒久的に取り付けられるか、または取り外し可能に取り付けられてもよいことが想定される。したがって、本発明は独自のペダル設計にも拡張することができる。
【００１９】
弾性部材がクリート（もしくはペダル）に取り付けられる正確な配置は、運動平面内でのペダルの受け部に対するクリートの取付部の動きに抵抗するように機能する限り、必要に応じて選択してもよい。
【００２０】
好ましい一形態では、弾性部材は、クリートの一部の周囲で受けられる閉じたループ、バンドもしくはストラップの形態である。一例として、弾性部材は、一般的にポリマーもしくは他の適切な弾性材料から製造されたＯリングの形態であってもよい。弾性部材の特定の大きさおよび形状は必要に応じて選択してもよく、使用するクリートの特定の形態によって少なくとも部分的に決定してもよい。Ｏリングは、少なくとも略一定の断面形状のものであってもよいが、少なくとも一実施形態は、Ｏリングの残りの部分とは異なる断面形状の一部を有する弾性部材を含む。したがって、本明細書の文脈における「Ｏリング」という用語は、一定の断面形状および／または大きさのＯリングに限定されないものであると理解される。
【００２１】
クリートは、好ましくは弾性部材を受けるための座部を含むことが想定される。張力は弾性部材をその着座位置に保持するように作用することがあるので、座部は、わずかに張力がかけられた状態であっても、弾性部材を張力がかけられた状態で受けるように構成されてもよい。
【００２２】
一形態では、座部は、クリートに設けられたスロット部分もしくは溝部分を含み、その中に弾性部材の少なくとも一部を受け入れる。
【００２３】
弾性部材は、クリートの少なくとも一部の上もしくは周囲に二重ループ構成でクリートに取付け可能であるように構成されてもよい。しかし、出願人の現在の選択は、弾性部材を単一のループ構成でクリートに取り付けることである。
【００２４】
これまで、弾性部材を含むクリートに関連して本発明を説明してきた。しかし、本発明はまた、上記で一般的に説明した種類のクリートとともに使用するための交換用弾性部材も考えられることを理解されたい。交換用弾性部材は、損傷するかもしくは摩耗する可能性のあるクリートに取り付けられた既存の弾性部材を交換する場合、または既存の弾性部材を異なる物理的特性のものと交換する場合に役立つ場合がある。交換用弾性部材はまた、クリートが弾性部材なしで最初に提供されるが、弾性部材が任意で取り付けられる場合に役立つ場合がある。
【００２５】
本発明によるクリートは、弾性部材を所定の場所に取り付けて使用されるか、または単純に弾性部材を取り外すことによって、さらに従来方式で設計されたクリートのように使用されてもよいだろう。
【００２６】
本発明の別の態様によれば、自転車用ペダルの受け部に接続するための自転車用靴クリートが提供され、自転車用ペダルは、ペダルの受け部が回転可能に取り付けられる取付シャフトを有する。クリートは、自転車用靴の底面にクリートを取り付けるためのマウントと、ペダルの受け部が受けるための取付部とを含む。クリートはまた、弾性部材が受け部に対する取付部の動きに抵抗するように弾性部材を受け入れるために、（ペダルがクリートに取り付けられる場合に）取付部と受け部との間に設けられる弾性部材受入空間を含む。このような配置では、弾性部材を取り付けることなくクリートを最初に提供し、弾性部材の利点を利用することが望まれる場合に弾性部材を取り付けてもよい。
【００２７】
本発明はまた、前段落で広く言及された形態の自転車用靴クリートとともに使用するための弾性部材に関する。好ましくは、弾性部材はクリートに取り外し可能に取り付けられる。弾性部材は、クリートの一部の周囲で受けられる閉じたループ、バンドもしくはストラップを含んでもよく、一般的にＯリングの形態であってもよい。
【００２８】
弾性部材は、クリート上に設けられた座部の形態で、弾性部材受入空間の上、内部もしくは周囲に受入可能であってもよい。本発明のいくつかの形態では、わずかに張力がかけられた状態であっても、張力が作用して弾性部材をその着座位置に保持するように、弾性部材は、張力がかけられた状態で座部の上、内部もしくは周囲に受入可能であることが望ましい場合がある。弾性部材は、座部のスロット部分もしくは溝部分に受入可能であってもよい。さらに、弾性部材は、少なくとも１つの単一ループ構成も考えられるが、二重ループ構成でクリートに取付け可能であるように構成されてもよい。
【００２９】
本発明の別の実施形態では、クリートの取付部を受けるための受け部と、ペダルの受け部が回転可能に取り付けられる取付シャフトとを含む自転車用ペダルが提供される。ペダルはまた、ペダルがクリートに取り付けられる場合に取付部と受け部との間に設けられる弾性部材を含む。弾性部材は、受け部に対する取付部の動きに抵抗する。
【００３０】
前段落を参照すると、弾性部材は、好ましくは運動平面内での受け部に対する取付部の動きに抵抗し、運動平面は、取付シャフトを中心とした受け部の回転軸線に対して略平行な方向に延びる。弾性部材は、ペダルに取り付けられるかまたは取付け可能であってもよい。一形態では、弾性部材はペダルに取り外し可能に取り付けられるか、または取り外し可能に取付け可能である。
【００３１】
本発明のさらに別の実施形態によれば、クリートの取付部を受けるための受け部と、ペダルの受け部が回転可能に取り付けられる取付シャフトとを含む自転車用ペダルが提供される。ペダルはまた、ペダルがクリートに取り付けられる場合に取付部と受け部との間に設けられる弾性部材受入空間を含む。受入空間は、弾性部材が受け部に対する取付部の動きに抵抗するように弾性部材を受け入れるために設けられている。
【００３２】
前段落を参照して、ペダルとともに使用するための弾性部材が提供され、弾性部材はペダルに取り外し可能に取り付けられるか、または取り外し可能に取付け可能である。
【００３３】
便宜上、添付の図面を参照して、本発明の好ましい実施形態を以下に説明する。図の特殊性は、本発明の前述の広範な説明を限定するものではないと理解されるべきである。
【図面の簡単な説明】
【００３４】
【図１】本発明の一実施形態による自転車用靴クリートの側面斜視図である。
【図２】図１に示すクリートの平面図である。
【図３】図１に示すクリートの別の側面斜視図である。
【図４】図１に示すクリートの端面斜視図である。
【図５】本発明の第２の実施形態による、ロードバイク用靴の底面に取り付けられた場合の自転車用靴クリートの平面図である。
【図６ａ】クリートとペダルとの間の有効なフロート（浮動）の度合いの一例を示す、クリートおよび関連するペダルの平面図である。
【図６ｂ】クリートとペダルとの間の有効なフロートの度合いの別の例を示す、クリートおよび関連するペダルの平面図である。
【図６ｃ】クリートとペダルとの間の有効なフロートの度合いのさらに別の例を示す、クリートおよび関連するペダルの平面図である。
【図７】本発明の第３の実施形態による自転車用靴クリートの平面図である。
【図８】図７に示すクリートの側面図である。
【図９】図７に示すクリートの側断面図である。
【図１０】図７に示すクリートの正面図である。
【発明を実施するための形態】
【００３５】
図１から図４を参照して、本発明の一実施形態による自転車用靴クリート２０が示されている。クリート２０は、ロードバイク用靴（図示せず）とともに使用するために特別に設計されている。しかし、クリート２０はまた、自転車トラック競技、トライアスロン、タイムトライアルおよび通勤を含むがこれらに限定されない他の自転車分野に使用されてもよい。
【００３６】
本明細書（および請求項）全体にわたるロードバイクの使用に関連したクリート２０への言及を提供して、本発明を説明する。本明細書におけるロードバイクの使用への言及は、クリート２０をロードバイクの使用のみに限定することを意図するものではなく、クリート２０は、前段落で言及したものを含む他の様々なサイクリング分野においても使用してもよいことを理解されたい。
【００３７】
クリート２０は、クリートを靴の底面に取り付けるためのマウントを含む。マウントは、既存のロードバイク用クリート設計に共通した方法で、ねじファスナ２８および関連する長方形ワッシャ３０（３つのねじファスナ／ワッシャの組合せのうち１つのみが示されている）を受け入れるために、クリート２０を通って延びる３つの取付開口部２２、２４および２６の形態をしている。
【００３８】
各ファスナ２８は、関連する靴の底面から内向きに延びるねじ穴で受けることができる。したがって、ファスナ２８のヘッド部の設計に応じて、３つのねじファスナ２８をアレンキー、マイナスドライバもしくはプラスドライバで締め付けることによって、クリート２０はバイク用靴の底面への取付位置に保持されることが理解され得る。
【００３９】
クリート２０は、ペダルの受け部が受けるための取付部３２を含む。取付部は、前端部３４と後端部３６とを含む。取付部３２は、一般的に既存のクリート設計のものと同様の形態である。
【００４０】
クリート２０の利点の１つは、既存のペダルとともに使用するために構成されていることである。サイクリストは、切替えコストを大幅に増加させるようなペダル交換の必要はなく、既存のクリートを一対のクリート２０と交換するだけで独自の設計を活用することができるので、これは重要であると考えられる。
【００４１】
クリート２０が靴の底面の所定の位置に取り付けられた状態で、サイクリストは、関連する自転車に乗って、前端部３４が前方に移動されてペダルの受け部内に位置し、続いて後端部３６が略下方に押圧され、それによってペダルの受け部内の所定の位置にスナップ嵌めするように、自身の足を置くことができる。これが完了すると、クリート２０は（したがって関連する靴も）ペダルに取り外し可能に接続される。
【００４２】
このようにして、サイクリストがクリート２０をペダルから取り外したいと望む時機まで、クリート２０はペダルに接続されたままである。サイクリストは、自身の踵を自転車から横方向外向きに移動させ、それによってクリート２０をペダルから外すことでこれを達成する。
【００４３】
クリート２０はまた、Ｏリングの形態で示される弾性部材３８を含む。出願人は、弾性部材３８を提供することはクリート２０に特有であると考えている。
【００４４】
Ｏリングは、適切なポリマー材料（または他の適切な弾性材料）から製造される。
【００４５】
弾性部材３８は、取付部３２の前端部３４の周囲に二重ループ構成で延びる。弾性部材３８が前端部３４の前方部分４０の周囲に延びるという事実は、クリート２０がペダルに接続された場合に弾性部材３８のこの部分がペダルに接触する結果となることに留意されたい。そうすることで、弾性部材３８は、ペダルの受け部に対する取付部３２の動きに抵抗する。弾性部材３８が存在しなければ、このような抵抗は存在しないであろう。
【００４６】
より具体的には、弾性部材３８はフロートに抵抗するように設計されている。すなわち、弾性部材３８は、ペダルの取付シャフトを中心とした受け部の回転軸線に対して略平行な方向に延びる運動平面Ｘ−Ｙ（図２参照）内での受け部に対する取付部３２の動きに抵抗する。この運動平面は通常、後端部３６の略円弧状の運動Ａの形態でサイクリストに最も顕著に見られ、これは現在入手可能なほとんどのロード自転車（および他の）ペダル／クリートの組合せに固有である。この円弧状の運動Ａ（図２参照）は、ペダリング動作中のサイクリストの膝の自然な解剖学的運動に対応する。ペダルとクリートとの間のこの固有の動き（もしくはフロート）の自由度がなければ、ペダリング動作中に任意の横方向の動きの自由度が足に与えられないため、サイクリストは膝の怪我（もしくはその他の怪我）を起こしやすくなる。
【００４７】
有効なフロートの度合いは、従来のクリート／ペダルの配置を示す図６ａから図６ｃに示されている通りであってもよい。図６ａでは、クリートＣは関連するペダルＰに対して中立位置で示されている。図６ｂでは、ペダルは、ペダルＰに対して反時計回り方向のクリートＣのフロート（浮動）の（破線ＣＣＷで示す）最大有効量を示している。クリートＣはまた、破線ＣＷで示すように、（有効な固有のフロートにより）図６ｂに示す程度と同じ度合いで時計回りに回転してもよいことを理解されたい。
【００４８】
ペダルは図１から図４には示されていないが、回転軸線Ｘ−Ｘ（ペダルを自転車のクランクに取り付けるペダル取付シャフトと同軸）−図２参照−は、クリート２０がペダルに接続されている場合のおよその位置に示されている。
【００４９】
弾性部材３８は、クリート２０に取り外し可能に取り付けられていることを理解されたい。これは、損傷もしくは摩耗が生じた場合に弾性部材３８の交換を可能にするので望ましい。クリート２０は、いくつかの交換用弾性部材とともに販売されてもよい。弾性部材はまた、交換部品として個別に販売されてもよい。弾性部材３８はまた、クリートの修正を必要とせずに（もしくは少なくとも最小限の修正）、少なくともいくつかの既存のクリート設計に潜在的に後付け可能な場合がある。
【００５０】
クリート２０は、弾性部材３８を受けるための座部４２を含むことが分かる。前述したように、張力は弾性部材３８をその着座位置に保持するように作用することがあるので、座部４２は、わずかに張力がかけられた状態であっても、弾性部材３８を張力がかけられた状態で受けるように構成されてもよい。
【００５１】
前述したように、図１から図４に示す実施形態は二重ループ構成で弾性部材３８を受ける座部４２を示している。第１のループ４４は全体が視認できる一方で、第２のループ４６は部分的にしか視認できない。第２のループ４６の視認できない部分は、クリート２０と靴の底面との間に延びている。第１のループ４４および第２のループ４６は一体的に形成されている。本質的に、弾性部材３８は単純に二重に重ねられて２つのループ４４および４６を形成する。開口部４８はクリート２０を通って延び、弾性部材３８は、所定の位置に取り付けられる場合に開口部４８を介してクリート２０に供給される。弾性部材３８が開口部４８を介して供給されるという事実が、使用中に弾性部材３８が誤ってクリート２０から外れるのを防止することが望ましい。
【００５２】
図１から図４に示した弾性部材３８は、二重に重ねられた構成で示されていることを理解されたい。しかし、弾性部材３８および／またはクリート２０は、弾性部材３８がクリート２０に取り付けられた場合に二重にされる必要がないように設計変更されてもよい。さらなる実施形態では、図示の二重に重ねられた弾性部材３８の代わりに、２つ（またはそれ以上）のより小さい弾性部材をクリート２０に取り付けてもよい。
【００５３】
交換用弾性部材を、所望のクリート性能を提供するための幅広い可能な弾性特性のうちいずれか１つにおいて提供してもよいことが考えられる。これは、乗り手の能力、乗車方法、生理機能、ペダル／クリートの組合せの望ましい性能特性、および／または特定のクリートおよびペダルの設計に適合するように部分的に行うことができる。
【００５４】
必要に応じて、クリート２０は、弾性部材３８を所定の場所に取り付けて使用されるか、または単純に弾性部材３８を取り外すことによって、さらに従来方式で設計されたクリートのように使用されてもよい。
【００５５】
図５を参照して、本発明の第２の実施形態によるクリート１２０が示されている。図１から図４に示すクリート２０と同様に、図５に示すクリート１２０は、ロードバイク／トラック競技用自転車／タイムトライアル用自転車／トライアスロン用自転車用の靴１２１とともに使用するために特に設計されている。
【００５６】
クリート１２０は、靴１２１の底面１２３に取り付けられた状態で示されている。クリート１２０は、クリート１２０を通って延びるそれぞれの取付開口部１２２、１２４および１２６に受け入れられたねじファスナ１２８によって、靴１２１に取り付けられる。ファスナ１２８は、既存のロードバイク用クリート取付け配置に共通した方法で、靴１２１の底面１２３に設けられたねじ穴に受け入れられる。
【００５７】
クリート１２０は、ペダルの受け部が受けるための取付部１３２を含む。取付部１３２は、一般的に既存のクリート設計の形態の前端部１３４および後端部１３６を含む。
【００５８】
クリート２０と同様に、クリート１２０は既存のペダルとともに使用するように構成されており、サイクリストは、切替えコストを大幅に増加させるようなペダル交換の必要はなく、既存のクリートを一対のクリート１２０と交換するだけで本発明を活用することができるので、これは重要であると考えられる。
【００５９】
クリート１２０が靴１２１の底面の所定の位置に取り付けられた状態で、前端部１３４が前方に移動してペダルの受け部内に位置し、続いて後端部１３６が略下方に押圧され、それによってペダルの受け部内の所定の位置にスナップ嵌めされるように、サイクリストは関連する自転車に乗って自身の足を置くことができる。これが完了すると、クリート１２０は（したがって靴１２１も）ペダルに取り外し可能に接続される。
【００６０】
このようにして、サイクリストがクリート１２０をペダルから取り外したいと望む時機まで、クリート１２０はペダルに接続されたままである。サイクリストは、靴の踵を自転車から横方向外向きに移動させ、それによってクリート１２０をペダルから外すことでこれを達成する。
【００６１】
クリート１２０はまた、適切なポリマー材料（または他の適切な材料）から製造されたＯリングの形態で示される弾性部材１３８を含む。
【００６２】
弾性部材１３８は、図１から図４に示す弾性部材３８と実質的に同様に機能する。弾性部材１３８は、クリート１２０に取り外し可能に取り付けられて、損傷もしくは摩耗が生じた場合に弾性部材１３８を交換することが可能である。
【００６３】
弾性部材３８および１３８の１つの違いは、それぞれのクリート２０／１２０に対する着座位置にある。
【００６４】
弾性部材１３８は、取付部１３２の前端部１３４の周囲に二重ループ構成で延び、それによってクリート１２０がペダルに取り外し可能に接続された場合にペダルに接触する。そうすることで、弾性部材１３８は、ペダルの回転軸線Ｘ１−Ｘ１に対して略平行な方向Ｘ１−Ｙ１の動きに抵抗する。
【００６５】
第１のループ１４４は、クリート１２０の前端部１３４の周囲に巻き付き、第２のループ１４６は、前端部１３４の前方部分１４０の周囲に部分的に巻き付く。第２のループ１４６の残りの部分は、クリート１２０に設けられたスロット１４７内およびワッシャ１４９内に位置しており、弾性部材１３８のこの部分をクリート１２０に対して所定の位置に固定するために固定装置（図示せず）を使用して、必要に応じて、使用中に弾性部材１３８が誤ってクリート１２０から外れるのを防止するのに役立つ。
【００６６】
クリート１２０は、弾性部材１３８を受けるための座部１４２を含むことが分かる。張力は弾性部材１３８をその着座位置に保持するように作用することがあるので、座部１４２は、（わずかに張力がかけられた状態であっても、）弾性部材１３８を張力がかけられた状態で受けるように構成されてもよい。
【００６７】
必要に応じて、クリート１２０は、弾性部材１３８を所定の位置に取り付けて使用されるか、または単純に弾性部材１３８を取り外すことによって、さらに従来方式で設計されたクリートのように使用されてもよい。
【００６８】
図７から図１０を参照して、本発明の第３の実施形態によるクリート２２０が示されている。図１から図４に示すクリート２０と同様に、図７から図１０に示すクリート２２０は、ロードバイク／トラック競技用自転車／タイムトライアル用自転車／トライアスロン用自転車用の靴（図示せず）とともに使用するために特に設計されている。
【００６９】
クリート２２０は、クリート２２０を通って延びるそれぞれの取付開口部２２２、２２４および２２６に受け入れられたねじファスナによって、靴に取り付けられる。ファスナは、既存のロードバイク用クリート取付け配置に共通した方法で、靴の底面に設けられたねじ穴に受け入れられる。
【００７０】
クリート２２０は、ペダルの受け部が受けるための取付部２３２を含む。取付部２３２は、一般的に既存のクリート設計の形態の前端部２３４および後端部２３６を含む。
【００７１】
クリート２０および１２０と同様に、クリート２２０は既存のペダルとともに使用するように構成されており、サイクリストは、切替えコストを大幅に増加させるようなペダル交換の必要はなく、既存のクリートを一対のクリート２２０と交換するだけで本発明を活用することができるので、これは重要であると考えられる。
【００７２】
クリート２２０が靴の底面の所定の位置に取り付けられた状態で、前端部２３４が前方に移動してペダルの受け部内に位置し、続いて後端部２３６が略下方に押圧され、それによってペダルの受け部内の所定の位置にスナップ嵌めされるように、サイクリストは関連する自転車に乗って自身の足を置くことができる。これが完了すると、クリート２２０は（したがって靴も）ペダルに取り外し可能に接続される。
【００７３】
このようにして、サイクリストがクリート２２０をペダルから取り外したいと望む時機まで、クリート２２０はペダルに接続されたままである。サイクリストは、靴の踵を自転車から横方向外向きに移動させ、それによってクリート２２０をペダルから外すことでこれを達成する。
【００７４】
クリート２２０はまた、適切なポリマー材料（または他の適切な材料）から製造されたＯリングの形態で示される弾性部材２３８を含む。Ｏリングは断面が不均一であり、前方部分２３８ａが後方部分２３８ｂよりも厚いことを理解されたい。
【００７５】
弾性部材２３８は、図１から図４に示す弾性部材３８と実質的に同様に機能する。弾性部材２３８は、クリート２２０に取り外し可能に取り付けられて、損傷もしくは摩耗が生じた場合に弾性部材２３８を交換することが可能である。
【００７６】
弾性部材３８と弾性部材２３８との１つの違いは、それぞれのクリート２０／２２０に対する着座位置にある。
【００７７】
弾性部材２３８は、取付部２３２の前端部２３４の周囲に単一ループ構成で延び、それによってクリート２２０がペダルに取り外し可能に接続された場合にペダルに接触する。そうすることで、弾性部材２３８は、ペダルの回転軸線Ｘ１−Ｘ１に対して略平行な方向Ｘ１−Ｙ１の動きに抵抗する。
【００７８】
（特に図９において）クリート２２０は、（二重ループ構成ではなく）単一ループ構成で弾性部材２３８を受けるための座部２４２を含むことが分かる。張力は弾性部材２３８をその着座位置に保持するように作用することがあるので、座部２４２は、（わずかに張力がかけられた状態であっても、）弾性部材２３８を張力がかけられた状態で受けるように構成されてもよい。
【００７９】
必要に応じて、クリート２２０は、弾性部材２３８を所定の位置に取り付けて使用されるか、または単純に弾性部材２３８を取り外すことによって、さらに従来方式で設計されたクリートのように使用されてもよい。
【００８０】
クリート２０／１２０／２２０には、独特の色／色の組合せまたは他の独特の仕上げを施して、市場において、および使用中に容易に識別可能な製品を提供することができる。出願人は現在、クリート２０／１２０／２２０を緑色で製造することを検討している。
【００８１】
既存のクリート／ペダル設計と比較した場合、本出願の主題のクリート２０、１２０および２２０および／またはペダルによって様々な潜在的な利点が提供されることが望ましい。前述したように、これらの可能性のある利点には、
−サイクリストのペダリング技術を改善すること
−ペダリング効率を改善すること
−膝およびその他の怪我の可能性を低減すること
−サイクリング時に放出されるエネルギーを低減すること
−必要に応じて、クリートとペダルとの間に所望の量のフロート／動きを提供すること
−クリート摩耗率を低減し、場合によってはペダル摩耗率も低減すること
−クリートのペダルとの改善された接触面を提供すること
−より自然なペダリング感覚
−ペダル／クリートの異なるＲＰＭおよび負荷でクリートの動態を変更／改善すること
−さらに、弾性部材の弾力によってクリートをペダルに対して静止位置に動的に戻すこと
が含まれる。
【００８２】
本発明の趣旨もしくは範囲から逸脱することなく、前述の部品の構造および配置に様々な変更、修正および／または追加を導入してもよいことを理解されたい。
【００８３】
本出願に基づいて、または本出願の優先権を主張して、将来的に特許出願がオーストラリアまたは海外で提出される可能性がある。以下の特許請求の範囲は、このような将来の出願で請求される可能性のある範囲を限定するものではないことを理解されたい。後日、特徴を請求項に追加するかまたは請求項から削除して、本発明をさらに定義するかまたは再定義してもよい。
【図１】
2020517317.tif 000003
【図２】
2020517317.tif 000004
【図３】
2020517317.tif 000005
【図４】
2020517317.tif 000006
【図５】
2020517317.tif 000007
【図６Ａ】
2020517317.tif 000008
【図６Ｂ】
2020517317.tif 000009
【図６Ｃ】
2020517317.tif 000010
【図７】
2020517317.tif 000011
【図８】
2020517317.tif 000012
【図９】
2020517317.tif 000013
【図１０】
2020517317.tif 000014
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
ペダルの受け部に接続するための自転車用靴クリートであって、前記ペダルが、前記ペダルの前記受け部が回転可能に取り付けられる取付シャフトを有し、前記クリートが、
自転車用靴の底面に前記クリートを取り付けるためのマウントと、
前記ペダルの前記受け部が受けるための取付部と、
前記ペダルが前記クリートに取り付けられた場合に前記取付部と前記受け部との間に設けられ、前記受け部に対する前記取付部の動きに抵抗し、前記クリートと前記ペダルとの間のずれを規制する、取り外し可能に取付け可能な弾性部材と
を含み、
前記弾性部材は、前記クリートもしくは前記取付部の一部の周囲で受けられる閉じたループ、閉じたバンド、または閉じたストラップの構成を有する、自転車用靴クリート。
【請求項２】
前記弾性部材が、前記取付シャフトを中心とした前記受け部の回転軸線と略平行な方向に延びる運動平面内での前記受け部に対する前記取付部の動きに抵抗する、請求項１に記載の自転車用靴クリート。
【請求項３】
前記弾性部材が、前記クリートに取り付けられるか、または取付け可能である、請求項１または２に記載の自転車用靴クリート。
【請求項４】
前記弾性部材が、前記クリートに取り外し可能に取り付けられるか、または取り外し可能に取付け可能である、請求項３に記載の自転車用靴クリート。
【請求項５】
前記弾性部材が概ね、断面の大きさおよび／または形状が略一定もしくは可変のＯリングの形態である、請求項４に記載の自転車用靴クリート。
【請求項６】
前記クリートが、前記弾性部材を受けるための座部を含む、請求項３〜５のいずれか一項に記載の自転車用靴クリート。
【請求項７】
前記座部が、張力がかけられた状態の前記弾性部材を受けるように構成されている、請求項６に記載の自転車用靴クリート。
【請求項８】
前記座部が、前記弾性部材の少なくとも一部を受け入れる、スロット部分または溝部分を含む、請求項６または７に記載の自転車用靴クリート。
【請求項９】
前記弾性部材が、単一ループもしくは二重ループ構成で前記クリートに取り付けられるか、または取付け可能であるように構成されている、請求項１〜８のいずれか一項に記載の自転車用靴クリート。
【請求項１０】
請求項１〜９のいずれか一項に記載のクリートの前記弾性部材を交換するための、交換用弾性部材。
【請求項１１】
ペダルの受け部と係合するための自転車用靴クリートであって、前記ペダルが、前記ペダルの前記受け部が回転可能に取り付けられる取付シャフトを有し、前記クリートが、
自転車用靴の底面に前記クリートを取り付けるためのマウントと、
前記ペダルの前記受け部が受けるための取付部と、
前記ペダルが前記クリートに取り付けられた場合に前記取付部と前記受け部との間に設けられ、弾性部材が、前記受け部に対する前記取付部の動きに抵抗し、前記クリートと前記ペダルとの間のずれを規制するように、前記弾性部材を受け入れるための、取り外し可能に取付け可能な弾性部材の受入空間と
を含み、
前記弾性部材は、前記クリートもしくは前記取付部の一部の周囲で受けられる閉じたループ、閉じたバンド、または閉じたストラップの構成を有する、自転車用靴クリート。
【請求項１２】
請求項１１に記載の自転車用靴クリートとともに使用するための、弾性部材。
【請求項１３】
前記弾性部材が、前記クリートに取り外し可能に取り付けられるか、または取り外し可能に取付け可能である、請求項１２に記載の弾性部材。
【請求項１４】
前記弾性部材が概ね、Ｏリングの形態である、請求項１２または１３に記載の弾性部材。
【請求項１５】
前記弾性部材が、前記クリートに設けられた座部の形態の弾性部材受入空間の上、内部または周囲で受入可能である、請求項１２〜１４のいずれか一項に記載の弾性部材。
【請求項１６】
前記弾性部材が、張力がかけられた状態で前記座部の上、内部または周囲で受入可能である、請求項１５に記載の弾性部材。
【請求項１７】
前記弾性部材が、前記座部のスロット部分または溝部分に少なくとも部分的に受入可能である、請求項１５または１６に記載の弾性部材。
【請求項１８】
前記弾性部材が、単一ループまたは二重ループ構成で前記クリートに取付け可能であるように構成されている、請求項１２〜１７のいずれか一項に記載の弾性部材。
【請求項１９】
自転車用ペダルであって、
クリートの取付部を受けるための受け部と、
前記ペダルの前記受け部が回転可能に取り付けられる取付シャフトと、
前記ペダルが前記クリートに取り付けられた場合に前記取付部と前記受け部との間に設けられ、前記受け部に対する前記取付部の動きに抵抗し、前記クリートと前記ペダルとの間のずれを規制する、取り外し可能に取付け可能な弾性部材と
を含み、
前記弾性部材は、前記クリートもしくは前記取付部の一部の周囲で受けられる閉じたループ、閉じたバンド、または閉じたストラップの構成を有する、自転車用ペダル。
【請求項２０】
前記弾性部材が、前記取付シャフトを中心とした前記受け部の回転軸線と略平行な方向に延びる運動平面内での前記受け部に対する前記取付部の動きに抵抗する、請求項１９に記載の自転車用ペダル。
【請求項２１】
前記弾性部材が、前記ペダルに取り付けられるか、または取付け可能である、請求項１９または２０に記載の自転車用ペダル。
【請求項２２】
前記弾性部材が、前記ペダルに取り外し可能に取り付けられるか、または取り外し可能に取付け可能である、請求項２１に記載の自転車用ペダル。
【請求項２３】
自転車用ペダルであって、
クリートの取付部を受けるための受け部と、
前記ペダルの前記受け部が回転可能に取り付けられる取付シャフトと、
前記ペダルが前記クリートに取り付けられた場合に前記取付部と前記受け部との間に設けられ、弾性部材が、前記受け部に対する前記取付部の動きに抵抗し、前記クリートと前記ペダルとの間のずれを規制するように、前記弾性部材を受け入れるための、取り外し可能に取付け可能な弾性部材の受入空間と
を含み、
前記受入空間は、前記クリートもしくは前記取付部の一部の周囲で受けられる閉じたループ、閉じたバンド、または閉じたストラップの構成を有する弾性部材を受け入れるために設けられている、自転車用ペダル。
【請求項２４】
請求項２３に記載の自転車用ペダルとともに使用するための、弾性部材。
【請求項２５】
前記弾性部材が、前記ペダルに取り外し可能に取り付けられるか、または取り外し可能に取付け可能である、請求項２４に記載の弾性部材。
【国際調査報告】
2020517317.tif 000015
2020517317.tif 000016
2020517317.tif 000017